(57)【要約】  空調機器管理装置（２００）は、第１の空調機器を運転させる予定を表す予定情報を入力する情報入力部（２６０）と、入力された予定情報に基づいて第１の空調機器の動作を制御する機器制御部（２１０）と、を備える。また、空調機器管理装置（２００）は、第１の空調機器を識別する情報と当該第１の空調機器の動作状況を表す動作状況情報と、第２の空調機器を識別する情報と当該第２の空調機器の動作状況を表す動作状況情報と、を受信する情報通信部（２４０）を備える。さらに、空調機器管理装置（２００）は、第１の空調機器の動作状況情報と、当該第１の空調機器を識別する情報に対応付けて情報記憶部（２２０）が記憶する情報で識別される第２の空調機器の動作状況情報と、を表示する情報表示部（２５０）を備える。これによれば、ある空調機器の動作により生じる他の空調機器の動作状況の変化を表示できる。
2013014774.tif 000002
【特許請求の範囲】
【請求項１】
第１の空調機器を識別する情報と前記第１の空調機器に配管で接続された第２の空調機器を識別する情報とを対応付けて記憶する情報記憶部と、
前記第１の空調機器を運転させる予定を表す予定情報を入力する情報入力部と、
前記入力された予定情報に基づいて前記第１の空調機器の動作を制御する機器制御部と、
前記第１の空調機器を識別する情報と当該第１の空調機器の動作状況を表す動作状況情報と、前記第２の空調機器を識別する情報と当該第２の空調機器の動作状況を表す動作状況情報と、を受信する情報通信部と、
前記第１の空調機器の動作状況情報と、当該第１の空調機器を識別する情報に対応付けて前記情報記憶部が記憶する情報で識別される第２の空調機器の動作状況情報と、を表示する情報表示部と、を備える、
空調機器管理装置。
【請求項２】
前記情報記憶部は、前記第１の空調機器を識別する情報と、前記第２の空調機器を識別する情報とに、前記第１の空調機器及び前記第２の空調機器が設置された物件を識別する情報をさらに対応付けて記憶し、
前記情報入力部は、動作を制御させる空調機器が設置された物件を識別する情報をさらに入力し、
前記情報表示部は、前記入力された物件を識別する情報と対応付けて前記情報記憶部に記憶された空調機器を識別する情報を表示し、
前記情報入力部は、前記表示された情報で識別される空調機器を運転させる予定を表す予定情報を入力し、
前記機器制御部は、前記入力された予定情報に基づいて前記表示された情報で識別される空調機器の動作を制御する、
請求項１に記載の空調機器管理装置。
【請求項３】
前記機器制御部は、前記取得された動作状況情報と、当該動作状況にある空調機器を識別する情報と、当該空調機器が設置された物件を識別する情報とを対応付けて前記情報記憶部に保存し、
前記情報表示部は、前記動作を制御された空調機器が設置された物件を識別する情報と、前記動作を制御された空調機器の動作状況情報と、当該動作を制御された空調機器を識別する情報及び当該物件を識別する情報に対応付けて前記情報記憶部が記憶する空調機器を識別する情報と、当該空調機器の動作状況情報とを表示する、
請求項２に記載の空調機器管理装置。
【請求項４】
前記配管は、内部を冷媒が通過する冷媒配管であり、
前記情報記憶部は、前記冷媒配管によって冷媒を循環させる循環システムを識別する情報と、前記循環システムによって冷媒が供給される第１の空調機器を識別する情報、前記第２の空調機器を識別する情報、及び前記第１の空調機器若しくは前記第２の空調機器と配管で接続された第３の空調機器を識別する情報と、を対応付けて記憶し、
前記情報表示部は、前記動作を制御された前記第１の空調機器を識別する情報に対応付けて前記情報記憶部に記憶された循環システムを識別する情報と、当該循環システムを識別する情報に対応付けて前記情報記憶部に記憶された情報で識別される前記第１の空調機器の動作状況情報、前記第２の空調機器の動作状況情報、及び前記第３の空調機器の動作状況情報と、を表示する、
請求項１から３のいずれか一項に記載の空調機器管理装置。
【請求項５】
コンピュータを、
第１の空調機器を識別する情報と前記第１の空調機器に配管で接続された第２の空調機器を識別する情報とを対応付けて記憶する情報記憶部、
前記第１の空調機器を運転させる予定を表す予定情報を入力する情報入力部、
前記入力された予定情報に基づいて前記第１の空調機器の動作を制御する機器制御部、
前記第１の空調機器を識別する情報と当該第１の空調機器の動作状況を表す動作状況情報と、前記第２の空調機器を識別する情報と当該第２の空調機器の動作状況を表す動作状況情報と、を受信する情報通信部、
前記第１の空調機器の動作状況情報と、当該第１の空調機器を識別する情報に対応付けて前記情報記憶部が記憶する情報で識別される第２の空調機器の動作状況情報と、を表示する情報表示部、として機能させる、
空調機器管理プログラム。
【請求項６】
第１の空調機器を運転させる予定を表す予定情報を入力する情報入力ステップと、
前記入力された予定情報に基づいて前記第１の空調機器の動作を制御する機器制御ステップと、
前記第１の空調機器を識別する情報と当該第１の空調機器の動作状況を表す動作状況情報と、第１の空調機器に配管で接続された第２の空調機器を識別する情報と当該第２の空調機器の動作状況を表す動作状況情報と、を受信する情報通信ステップと、
前記第１の空調機器の動作状況情報と、当該第１の空調機器を識別する情報に対応付けて情報記憶部が記憶する情報で識別される第２の空調機器の動作状況情報と、を表示する情報表示ステップと、を有する、
空調機器管理方法。
【発明の詳細な説明】
【技術分野】
【０００１】
本発明は、空調機器管理装置、空調機器管理プログラム、及び空調機器管理方法に関する。
【背景技術】
【０００２】
複数のビルにそれぞれ設置された空気調和機器（以下、空調機器という）の管理に用いられるデータを収集する複数のローカル管理装置と、当該管理に用いられるデータを複数のローカル管理装置から受信する中央管理装置とから構成されるシステムが知られている（例えば、特許文献１参照）。【０００３】
複数のローカル管理装置のそれぞれは、空調機器が新たに接続されると、当該接続された空調機器の管理に用いられるデータを中央管理装置へ送信し、中央管理装置は、受信したデータを用いて新たに接続された空調機器の管理を開始する。
【先行技術文献】
【特許文献】
【０００４】
【特許文献１】特開２０１０−０３８４３０号公報
【発明の概要】
【発明が解決しようとする課題】
【０００５】
特許文献１に開示された技術では、例えば、複数の空調機器の動作状況を管理する場合に、複数のビルにそれぞれ設置された空調機器から収集されたデータで表される動作状況を一覧表示する。このため、ある空調機器の動作により生じる他の空調機器の動作状況の変化を表示できないという問題があった。【０００６】
本発明は、上述の事情の下になされたもので、ある空調機器の動作により生じる他の空調機器の動作状況の変化を表示できる空調機器管理装置、空調機器管理プログラム、及び空調機器管理方法を提供すること等を目的とする。
【課題を解決するための手段】
【０００７】
上記目的を達成するため、本発明の空調機器管理装置は、
第１の空調機器を識別する情報と前記第１の空調機器に配管で接続された第２の空調機器を識別する情報とを対応付けて記憶する情報記憶部と、
前記第１の空調機器を運転させる予定を表す予定情報を入力する情報入力部と、
前記入力された予定情報に基づいて前記第１の空調機器の動作を制御する機器制御部と、
前記第１の空調機器を識別する情報と当該第１の空調機器の動作状況を表す動作状況情報と、前記第２の空調機器を識別する情報と当該第２の空調機器の動作状況を表す動作状況情報と、を受信する情報通信部と、
前記第１の空調機器の動作状況情報と、当該第１の空調機器を識別する情報に対応付けて前記情報記憶部が記憶する情報で識別される第２の空調機器の動作状況情報と、を表示する情報表示部と、を備える。
【発明の効果】
【０００８】
本発明に係る空調機器管理装置、空調機器管理プログラム、及び空調機器管理方法によれば、ある空調機器の動作により生じる他の空調機器の動作状況の変化を表示できる。
【図面の簡単な説明】
【０００９】
【図１】本発明の実施形態に係る空調機器管理装置を備える空調管理システムの一例を表す構成図である。
【図２】空調システムの一例を表す構成図である。
【図３】空調機器管理装置の一構成例を表すハードウェア構成図である。
【図４】空調機器管理装置が有する機能の一例を表す機能ブロック図である。
【図５】空調機器管理装置が実行する接続特定処理の一例を表すフローチャートである。
【図６】空調機器管理装置が記憶する空調機器データの一例を表す図である。
【図７】（ａ）は、空調機器管理装置が記憶する更新前の接続情報テーブルの一例を表す図である。（ｂ）は、空調機器管理装置が記憶する更新後の接続情報テーブルの一例を表す図である。
【図８】空調機器管理装置が実行する予定保存処理の一例を表すフローチャートである。
【図９】空調機器管理装置が記憶する予定情報テーブルの一例を表す図である。
【図１０】空調機器管理装置が実行する予定実行処理の一例を表すフローチャートである。
【図１１】空調機器管理装置が記憶する動作状況情報テーブルの一例を表す図である。
【図１２】空調機器管理装置が記憶する検出内容情報テーブルの一例を表す図である。
【図１３】空調機器管理装置が実行する情報出力処理の一例を表すフローチャートである。
【発明を実施するための形態】
【００１０】
以下、本発明の実施形態に係る空調管理装置２００を備える空調管理システム１について、添付図面を参照しつつ説明する。
【００１１】
本発明の実施形態に係る空調機器管理装置２００は、図１に示すように、空調管理システム１に搭載されている。空調管理システム１は、空調機器管理装置２００の他に、コンピュータ通信網１０（以下単に、通信網１０という）と、端末装置１０１及び１０２と、ビルＡに設置された空調システム３０１、ビルＢに設置された空調システム３０２、及びビルＣに設置された空調システム３０３と、から構成される。
【００１２】
尚、ビルＡに設置された空調システム３０１と、ビルＢに設置された空調システム３０２と、ビルＣに設置された空調システム３０３と、は、それぞれ同様の構成を有する。このため、ビルＡに設置された空調システム３０１について説明し、ビルＢの空調システム３０２及びビルＣの空調システム３０３について説明を省略する。また、端末装置１０１と端末装置１０２とは、それぞれ同様の構成を有するので、以下主に、端末装置１０１について説明し、端末装置１０２について説明を省略する。
【００１３】
通信網１０は、例えば、インターネットから構成される。通信網１０は、ＬＡＮ（Local Area Network）又は公衆回線網であっても良い。
【００１４】
端末装置１０１は、例えば、ＬＣＤ（Liquid Crystal Display）などの表示部と、キーボード及びマウスなどの入力部と、を備えたパーソナル・コンピュータで構成される。端末装置１０１は、ユーザによって入力部を操作されて、各種情報を入力し、入力された情報を空調機器管理装置２００へ送信する。また、端末装置１０１は、空調機器管理装置２００から各種情報を受信し、受信された情報を表示部に表示する。
【００１５】
空調機器管理装置２００は、空調システム３０１から３０３を試運転させ、空調システム３０１から３０３の動作状況を表す情報（以下、動作状況情報という）を収集し、収集された動作状況情報を表示する。
【００１６】
ビルＡに設置された空調システム３０１は、図２に示すような、空気調和装置（以下、空調機器という）３１０、３２０ａ、３２０ｂ、３３０、及び３４０と、リモートコントローラ（以下、リモコンという）３２９ａ、３２９ｂ、及び３５９と、から構成される。
【００１７】
空調機器３１０及び３３０は、室外機から構成される。空調機器３１０及び３３０は、冷媒を圧縮することで冷媒の温度及び圧力を上昇させる圧縮機と、冷媒を膨張させることで冷媒の温度及び圧力を下降させる膨張機と、冷媒を循環させる循環ポンプとから構成される。
【００１８】
空調機器３１０は、室内機から構成される空調機器３２０ａ及び空調機器３２０ｂとそれぞれ専用線を介して接続されている。また、空調機器３１０は、冷媒が内部を通過する冷媒配管Ｐａを介して空調機器３２０ａに接続され、冷媒配管Ｐｂを介して空調機器３２０ｂに接続されている。空調機器３１０は、空調機器３２０ａから専用線を介して出力された制御信号に従って冷媒を空調機器３２０ａ及び空調機器３２０ｂへ供給し、供給時より低温又は高温となった冷媒を空調機器３２０ａ及び空調機器３２０ｂから受け取る。
【００１９】
冷媒配管Ｐａの空調機器３１０側には、冷媒配管Ｐａを通過する冷媒の温度を検出するセンサ３１１ａが設置され、冷媒配管Ｐｂの空調機器３１０側には、冷媒配管Ｐｂを流れる冷媒の温度を検出するセンサ３１１ｂが設置されている。センサ３１１ａ及びセンサ３１１ｂは、検出された温度を表す検出値情報を空調機器３１０へそれぞれ送信する。
【００２０】
また、冷媒配管Ｐａの空調機器３２０ａ側には、センサ３２１ａとセンサ３２２ａとが設置されている。センサ３２１ａとセンサ３２２ａとは、冷媒配管Ｐａを通過する冷媒の温度の検出値を表す検出値情報をそれぞれ空調機器３２０ａへ送信する。同様に、冷媒配管Ｐｂの空調機器３２０ｂ側には、センサ３２１ｂとセンサ３２２ｂとが設置されている。センサ３２１ｂとセンサ３２２ｂとは、冷媒配管Ｐｂを通過する冷媒の温度の検出値を表す検出値情報をそれぞれ空調機器３２０ｂへ送信する。
【００２１】
空調機器３２０ａは、操作端末であるリモコン３２９ａに接続されている。空調機器３２０ａは、ユーザに操作されたリモコン３２９ａから出力される運転モード変更指令、運転指令、停止指令、送風指令、及び設定温度変更指令に従って、空調機器３１０から供給される冷媒で冷却した、加熱した、若しくは除湿した空気を送風する。同様に、空調機器３２０ｂは、リモコン３２９ｂに接続され、リモコン３２９ａから出力される各種の指令に従って動作する。
【００２２】
尚、運転モード変更指令とは、空調機器の運転モードを、暖房モード、冷房モード、及び除湿モードのいずれかに変更するように指示する指令であり、運転指令とは、運転を開始するように指示する指令である。また、停止指令とは、運転を停止するように指示する指令であり、送風指令とは、風を送り出すように指示する指令である。さらに、設定温度変更指令とは、空調機器３２０ａに設定された温度を変更するように指示する指令である。
【００２３】
上記のように、加熱若しくは冷却した冷媒を循環させる空調機器３１０、加熱若しくは冷却された冷媒を用いて運転を行う空調機器３２０ａ及び３２０ｂ、並びに空調機器３１０と空調機器３２０ａ及び３２０ｂとの間で循環させられる冷媒が通過する冷媒配管Ｐａ及びＰｂから構成される循環システムＣ００１を冷却系統Ｃ００１という。同様に、加熱若しくは冷却した冷媒を循環させる空調機器３３０、加熱若しくは冷却された冷媒を用いて運転を行う空調機器３４０、並びに空調機器３３０と空調機器３４０との間で循環させられる冷媒が通過する冷媒配管Ｐから構成される循環システムＣ００２を冷却系統Ｃ００２という。
【００２４】
尚、センサ３３１、３４１、及び３４２は、センサ３１１ａ、センサ３２１ａ、及びセンサ３２２ａと同様の構成を有するので説明を省略する。また、リモコン３５９は、リモコン３２９ａと同様の構成を有するので説明を省略する。
【００２５】
空調機器管理装置２００は、ビルなどの壁に据付られており、図３に示すように、ＣＰＵ（Central Processing Unit）２００ａ、ＲＯＭ（Read Only Memory）２００ｂ、ＲＡＭ（Random Access Memory）２００ｃ、ハードディスク２００ｄ、第１通信回路２００ｆ、第２通信回路２００ｇ、７ＳＥＧ（SEGment）表示部品２００ｈ、及び操作部２００ｉで構成される。尚、空調機器管理装置２００は、パーソナル・コンピュータで構成されても良い。
【００２６】
ＣＰＵ２００ａは、ＲＯＭ２００ｂ又はハードディスク２００ｄに保存されたプログラムを実行することで、空調機器管理装置２００の全体制御を行う。ＲＡＭ２００ｃは、ＣＰＵ２００ａによるプログラムの実行時において、処理対象とするデータを一時的に記憶する。
【００２７】
ハードディスク２００ｄは、各種のデータを保存したテーブルを記憶する。尚、空調機器管理装置２００は、ハードディスク２００ｄの代わりに、フラッシュメモリを備えても良い。
【００２８】
第１通信回路２００ｆは、通信網１０を介して接続された端末装置１０１との間で情報の通信を行う。第２通信回路２００ｇは、専用回線を介して接続された空調機器３１０と、当該空調機器３１０を介して接続された空調機器３２０ａ及び空調機器３２０ｂとの間で各種の情報を通信する。同様に、第２通信回路２００ｇは、専用回線を介して接続された空調機器３３０と、当該空調機器３３０を介して接続された空調機器３４０との間で各種の情報を通信する。
【００２９】
尚、第１通信回路２００ｆと第２通信回路２００ｇとは、例えば、ＵＳＢ（Universal Serial Bus）通信回路等のシリアル通信回路であっても良いし、パラレル通信回路であっても良い。また、第１通信回路２００ｆと第２通信回路２００ｇとは、有線通信回路であっても良いし、無線通信回路であっても良い。さらに、第１通信回路２００ｆと第２通信回路２００ｇとが通信に用いるプロトコルは、空調管理システム１に固有のプロトコルであっても良い。
【００３０】
７ＳＥＧ表示部品２００ｈは、ＣＰＵ２００ａから出力された信号に応じて各種情報を表示する。操作部２００ｉは、ユーザに操作される操作ボタンと、ユーザによる操作ボタンの操作に応じた信号を入力する電子回路とから構成される。尚、操作部２００ｉは、タッチパネル若しくはキーボードで構成されても良い。
【００３１】
ＣＰＵ２００ａは、ＲＯＭ２００ｂ又はハードディスク２００ｄに保存されたプログラムを実行することで、図４に示すように、空調機器３１０等の動作を制御する機器制御部２１０として機能する。また、ＣＰＵ２００ａは、ハードディスク２００ｄと協働して、プログラムの実行に用いられる情報を記憶する情報記憶部２２０として機能する。さらに、ＣＰＵ２００ａは、第１通信回路２００ｆと協働して、端末装置１０１から送信された情報を機器制御部２１０に入力する外部入力部２３１及び機器制御部２１０から出力された情報を端末装置１０１へ出力する外部出力部２３２として機能する。またさらに、ＣＰＵ２００ａは、第２通信回路２００ｇと協働して、機器制御部２１０と空調機器３１０等との間で通信される情報を中継する情報通信部２４０として機能する。さらに、ＣＰＵ２００ａは、７ＳＥＧ表示部品２００ｈと協働して、機器制御部２１０から出力された情報を表示する情報表示部２５０として機能する。またさらに、ＣＰＵ２００ａは、操作部２００ｉと協働して、ユーザに操作されて当該操作に応じた情報を機器制御部２１０に入力する情報入力部２６０として機能する。
【００３２】
空調管理システム１のユーザは、既に空調管理システム１が動作状況情報を管理している空調機器の設置されたビルとは異なるビルに設置された空調ききの動作状態を表す動作状況情報について管理を開始する（以下、空調管理システム１に新たなビルを追加するという）場合、若しくは、既に空調管理システム１が動作状況情報を管理している空調機器の接続構成が変化した場合に、空調機器の接続構成を特定する接続特定処理を開始させるための操作を操作部２００ｉに行う。
【００３３】
操作部２００ｉは、当該操作が行われると、当該操作に応じた所定の信号をＣＰＵ２００ａへ入力する。ＣＰＵ２００ａは、当該所定の信号を入力されると、図５に示すような接続特定処理を実行する。
【００３４】
ここで、接続特定処理について説明する前に、接続特定処理で使用されるデータについて説明を行う。
【００３５】
図４に示した情報記憶部２２０は、図６に示すような空調機器データを記憶している。この空調機器データは、空調機器間の接続関係を表す接続情報と、空調機器の動作状況を表す動作状況情報と、から構成されている。接続情報と動作状況情報とは、複数の空調機器から構成される冷却系統と、当該複数の空調機器が設置されたビルと、に基づいて分類（つまり、グループ化）されている。
【００３６】
図６の空調機器データに含まれる接続情報は、図７（ａ）に示すように、接続情報テーブルに保存されている。この接続情報テーブルには、空調管理システム１に追加されたビルに設置された空調機器の接続構成を表す接続情報、若しくは変更された後の接続構成を表す接続情報が接続特定処理の実行により保存される。
【００３７】
この接続情報は、空調機器が設置されたビルを識別する情報（以下、物件ＩＤという）と、当該ビルに設置された空調機器から構成される冷却系統を識別する情報（以下、冷却系統ＩＤという）と、専用線を介した通信において、当該空調機器を他の空調機器と区別するために用いられるアドレスを表す情報（つまり、当該空調機器を識別する情報）と、当該空調機器が冷媒配管を介して接続された接続先を識別するアドレスを表す情報（以下、接続先アドレス情報という）と、当該空調機器の機種が室外機か室内機かを表す情報（以下、機種情報という）と、が対応付けられた情報である。
【００３８】
次に、上記データを用いて実行される接続特定処理について説明を行う。
図３に示したＣＰＵ２００ａが、図５に示した接続特定処理の実行を開始すると、図４に示した情報表示部２５０は、空調管理システム１に追加されたビル若しくは接続構成が変更された空調機器が設置されたビルを識別する物件ＩＤを入力するように促すメッセージを表示する。
【００３９】
次に、当該メッセージを視認したユーザが操作部２００ｉを操作すると、操作部２００ｉで実現される情報入力部２６０は、ユーザの操作に応じて物件ＩＤ「A」を含み、当該物件ＩＤ「A」で識別されるビルＡに設置された空調機器３１０等から、空調機器３１０等の接続先アドレス情報を取得するように求めるリクエスト（以下、接続先情報取得要求という）を機器制御部２１０へ入力する。
【００４０】
次に、機器制御部２１０が、接続先情報取得要求が入力されたか否かを判別する（ステップＳ１１）。このとき、機器制御部２１０は、情報入力部２６０から物件ＩＤ「A」を含む接続先情報取得要求を入力されたと判別し（ステップＳ１１；Ｙｅｓ）、接続先情報取得要求から物件ＩＤ「A」を抽出する（ステップＳ１２）。尚、ステップＳ１１において、機器制御部２１０は、接続先情報取得要求を入力されなかったと判別すると（ステップＳ１１；Ｎｏ）、所定時間経過した後に、上記ステップＳ１１の処理を繰り返す。
【００４１】
次に、機器制御部２１０は、空調管理システム１に新たなビルが追加されたか否かを判別するために、抽出された物件ＩＤ「A」が、図７（ａ）に示した接続情報テーブルに既に保存されているか否かを判別する（ステップＳ１３）。具体的には、機器制御部２１０は、抽出された物件ＩＤ「A」が接続情報テーブルに保存されていないため、空調管理システム１に新たなビルＡが追加されたと判別する。尚、機器制御部２１０は、抽出された物件ＩＤ「A」が接続情報テーブルに保存されている場合に、空調管理システム１に新たなビルＡが追加されたのではないと判別する。
【００４２】
ステップＳ１３において、機器制御部２１０が、抽出された物件ＩＤ「A」が保存されていないと判別すると（ステップＳ１３；Ｎｏ）、情報表示部２５０は、入力された物件ＩＤ「A」で識別されるビルＡに設置された空調機器のアドレス情報を入力するように促すメッセージを表示する。次に、当該メッセージを視認したユーザに操作された操作部２００ｉで実現される情報入力部２６０は、ビルＡに設置された空調機器３１０、３２０ａ、３２０ｂ、３３０、及び３４０のアドレス情報をそれぞれ入力する。その後、機器制御部２１０は、入力されたアドレス情報と、ステップＳ１２で抽出された物件ＩＤと、を対応付けて、図７（ａ）の接続情報テーブルに保存することで、図７（ｂ）に示すような接続情報テーブルへ更新する（ステップＳ１４）。
【００４３】
ステップＳ１４の後に、機器制御部２１０は、図７（ｂ）の接続情報テーブルから、物件ＩＤ「A」に対応付けられたアドレス情報を検索する。当該物件ＩＤ「A」で識別されるビルＡに設置された空調機器のアドレス情報を検索するためである。次に、図５の情報通信部２４０は、検索された複数のアドレス情報で表されるアドレスを用いて、空調機器３１０、３２０ａ、３２０ｂ、３３０、及び３４０へ接続先アドレス情報を送信させる制御信号をそれぞれ送信する（ステップＳ１５）。尚、ステップＳ１３において、抽出された物件ＩＤが既に記憶されていると判別した場合も同様に（ステップＳ１３；Ｙｅｓ）、ステップＳ１５の処理が実行される。
【００４４】
次に、情報通信部２４０は、制御信号を受信した空調機器３１０等から、それぞれを識別するアドレス情報と、それぞれに接続された他の空調機器を識別するアドレス情報（つまり、接続先アドレス情報）と、それぞれの機種を表す機種情報とを受信する。
【００４５】
次に、機器制御部２１０は、図７（ｂ）の接続情報テーブルに、ステップＳ１２で抽出された物件ＩＤと、ステップＳ１５で受信されたアドレス情報と、に対応付けられた接続先アドレス情報と機種情報とが保存されていないと判別する。次に、機器制御部２１０は、抽出された物件ＩＤ「A」と検索されたアドレス情報とに、ステップＳ１５で受信された接続先アドレス情報と機種情報とを対応付けて保存する（ステップＳ１６）。
【００４６】
尚、機器制御部２１０は、図７（ｂ）の接続情報テーブルに、抽出された物件ＩＤと検索されたアドレス情報とに対応付けられた接続先アドレス情報と機種情報とが既に保存されていると判別すると、当該接続先アドレス情報と当該機種情報とを、ステップＳ１５で受信された接続先アドレス情報と機種情報とで更新する。
【００４７】
ステップＳ１６の後に、機器制御部２１０は、図７（ａ）に示した接続情報テーブルに保存された接続先情報に基づいて、ステップＳ１２で抽出された物件ＩＤ「A」で識別されるビルＡに設置された空調機器３１０等の冷却系統を特定する（ステップＳ１７）。
【００４８】
具体的には、機器制御部２１０は、図７（ｂ）に示した接続情報テーブルのあるレコードに保存されたアドレス情報で識別される空調機器３１０は、当該あるレコードに保存された接続先アドレス情報で識別される空調機器３２０ａ及び空調機器３２０ｂと接続されているのだから、空調機器３１０、空調機器３２０ａ、及び空調機器３２０ｂは、同じ冷却系統に属すると特定する。同様に、機器制御部２１０は、空調機器３３０と空調機器３４０とは、同じ冷却系統に属すると特定する。次に、機器制御部２１０は、空調機器３１０、空調機器３２０ａ、及び空調機器３２０ｂから構成される冷却系統の冷却系統ＩＤ「C001」を生成し、空調機器３３０及び空調機器３４０から構成される冷却系統の冷却系統ＩＤ「C002」を生成する。
【００４９】
次に、機器制御部２１０は、図７（ｂ）に示した接続情報テーブルに、ビルの物件ＩＤ「A」と、ビルＡに設置された空調機器３１０のアドレス情報「310」と、に対応付けられた冷却系統ＩＤが保存されていないと判別する。次に、機器制御部２１０は、物件ＩＤ「A」と、アドレス情報「310」と、に冷却系統ＩＤ「C001」を対応付けて保存する（ステップＳ１８）。尚、機器制御部２１０は、物件ＩＤ「A」とアドレス情報「310」とに対応付けられた冷却系統ＩＤが既に保存されていると判別すると、物件ＩＤ「A」とアドレス情報「310」とに対応付けられた冷却系統ＩＤを、冷却系統ＩＤ「C001」に更新する。
【００５０】
同様に、機器制御部２１０は、接続情報テーブルに、物件ＩＤ「A」とアドレス情報「320a」とに冷却系統ＩＤ「C001」を対応付けて保存し、物件ＩＤ「A」とアドレス情報「320b」とに冷却系統ＩＤ「C001」を対応付けて保存する。さらに、機器制御部２１０は、接続情報テーブルに、物件ＩＤ「A」とアドレス情報「330」とに冷却系統ＩＤ「C002」を対応付けて保存し、物件ＩＤ「A」とアドレス情報「340」とに冷却系統ＩＤ「C002」を対応付けて保存する。その後、機器制御部２１０は、接続特定処理の実行を終了する。
【００５１】
次に、空調管理システム１のユーザは、例えば、空調管理システム１に追加されたビルの空調機器が正常に動作するかを確認するため、接続構成が変更された空調機器が正常に動作するかを確認するため、若しくは、定期的に空調機器の動作を検査するために、空調機器を試運転させる予定を計画する。次に、計画された予定を表す情報を空調機器管理装置２００へ保存するため、ユーザによって、当該予定を表す予定情報を保存する予定保存処理の実行を指示する操作が操作部２００ｉに行われる。その後、操作部２００ｉで実現される情報入力部２６０は、当該操作に応じた信号をＣＰＵ２００ａへ入力する。ＣＰＵ２００ａは、当該操作に応じた信号を入力されると、図８に示すような予定保存処理を実行する。
【００５２】
ここで、予定保存処理について説明する前に、予定保存処理で使用されるデータについて説明を行う。
【００５３】
図４に示した情報記憶部２２０は、図９に示すような予定情報が保存された予定情報テーブルを記憶している。予定情報テーブルに保存されている予定情報は、試運転の予定を識別する試運転予定ＩＤと、当該予定された試運転を開始する日時（以下、開始予定日時という）を表す開始予定日時情報と、当該試運転を終了する日時（以下、終了予定日時という）を表す終了予定日時情報と、試運転時における運転モードとしてユーザに指定されたモードを表す情報（以下、試運転モード情報という）と、試運転するように指定された空調機器を識別するアドレス情報（以下、試運転機器アドレス情報という）とが対応付けられた情報である。  
【００５４】
尚、試運転予定ＩＤは、試運転が予定される空調機器が設置されたビルの物件ＩＤを含んでいる。また、開始予定日時情報及び終了予定日時情報でそれぞれ表される日時は、ある特定の日時からの相対日時でも良いし、絶対日時でも良い。
【００５５】
次に、上記データを使用して実行される予定保存処理について説明する。
図３に示したＣＰＵ２００ａが、図８に示した予定保存処理の実行を開始すると、図４に示した情報表示部２５０は、試運転させる空調機器が設置されたビルを識別する物件ＩＤを入力するように促すメッセージを表示する。
【００５６】
次に、当該メッセージを視認したユーザが操作部２００ｉを操作すると、操作部２００ｉで実現される情報入力部２６０は、ユーザの操作に応じた物件ＩＤを含み、当該物件ＩＤで識別されるビルに設置された空調機器の接続先を表す接続先情報を表示するように求めるリクエスト（以下、接続先情報表示要求という）を機器制御部２１０へ入力する。
【００５７】
次に、機器制御部２１０は、情報入力部２６０から接続先情報表示要求が入力されたか否かを判別する（ステップＳ２１）。このとき、機器制御部２１０は、接続先情報表示要求が入力されなかったと判別すると（ステップＳ２１；Ｎｏ）、所定時間経過した後に、ステップＳ２１から上記処理を繰り返す。
【００５８】
これに対して、機器制御部２１０は、接続先情報表示要求が入力されたと判別すると（ステップＳ２１；Ｙｅｓ）、入力された接続先情報表示要求から物件ＩＤを抽出する（ステップＳ２２）。その後、機器制御部２１０は、図７（ｂ）の接続情報テーブルから、抽出された物件ＩＤに対応付けられた冷却系統ＩＤ、アドレス情報、接続先アドレス情報、及び機種情報を検索する（ステップＳ２３）。次に、図５の情報表示部２５０は、ステップＳ２２で抽出された物件ＩＤと、ステップＳ２４で検索された冷却系統ＩＤ、アドレス情報、接続先アドレス情報、及び機種情報と、を表示する（ステップＳ２４）。
【００５９】
以下、具体例として、抽出された物件ＩＤが「A」である場合を挙げて説明を行う。この場合、ステップＳ２４では、物件ＩＤ「A」で識別されるビルＡでは、冷却系統ＩＤ「C001」で識別される冷却系統が、空調機器３１０、空調機器３２０ａ、及び空調機器３２０ｂから構成されていることが表示される。このため、情報表示部２５０に表示された情報を視認したユーザは、例えば、空調機器３２０ａを試運転させることで、同じ冷却系統を構成する空調機器３１０及び空調機器３２０ｂの動作に生じる影響を確認できると判断する。このため、空調機器３２０ａを試運転させる予定を表す予定情報を入力させる操作を操作部２００ｉに行う。操作部２００ｉで実現される情報入力部２６０は、当該操作に応じて空調機器３２０ａの試運転を開始させる日時を表す開始予定日時情報と、空調機器３２０ａの試運転を終了させる日時を表す終了予定日時情報と、試運転時における運転モードを表す試運転モード情報と、空調機器３２０ａを識別するアドレスを表す試運転機器アドレス情報とを入力する（ステップＳ２５）。
【００６０】
その後、機器制御部２１０は、入力された情報で表される試運転の予定を識別する試運転予定ＩＤを生成する。次に、機器制御部２１０は、図９に示した予定情報テーブルに、生成された試運転予定ＩＤと、入力された開始予定日時情報と、終了予定日時情報と、試運転モード情報と、試運転機器アドレス情報とを対応付けて保存した後に（ステップＳ２６）、予定保存処理の実行を終了する。
【００６１】
ここで、図３のＣＰＵ２００ａは、電源をＯＮにされると、予定された試運転を開始させる、図１０に示すような予定実行処理を開始する。
【００６２】
ここで、予定実行処理について説明する前に、予定実行処理で使用されるデータについて説明を行う。
【００６３】
図４に示した情報記憶部２２０は、予定実行処理の実行により試運転させられた空調機器の動作状況を表す動作状況情報を保存する、図１１に示すような動作状況情報テーブルを記憶している。この動作状況情報は、空調機器が設置されたビルの物件ＩＤと、当該空調機器が構成する冷却系統の冷却系統ＩＤと、当該空調機器のアドレス情報と、当該空調機器に接続されたセンサが冷媒の温度を検出した日時を表す情報（以下、検出日時情報という）と、当該センサが検出した内容を表す情報（以下、検出内容情報という）と、当該センサの検出値を表す情報（以下、検出値情報とう）とが対応付けられた情報である。
【００６４】
また、図６の情報記憶部２２０は、図１２に示すような検出内容情報テーブルを記憶している。検出内容情報テーブルには、空調管理システム１を構成するセンサを識別する情報（以下、センサＩＤという）と、当該センサで検出される検出内容を表す情報とが対応付けられた情報が保存されている。
【００６５】
次に、上記データを使用して実行される予定実行処理について説明する。
図３に示したＣＰＵ２００ａが、図１０に示した予定実行処理の実行を開始すると、図４に示した情報表示部２５０は、空調機器を試運転させる準備が整った場合に、予定の実行を開始させる所定の開始操作を行うように促すメッセージを表示する。
【００６６】
次に、当該メッセージを視認したユーザが、空調機器を試運転させる準備が整ったことを確認した後に、操作部２００ｉに開始操作を行う。その後、操作部２００ｉで実現される情報入力部２６０は、予定された運転の開始を求めるリクエスト（以下、運転開始要求という）を機器制御部２１０へ入力する。
【００６７】
機器制御部２１０は、情報入力部２６０から運転開始要求が入力されたか否かを判別する（ステップＳ３１）。このとき、機器制御部２１０は、運転開始要求が入力されなかったと判別すると（ステップＳ３１；Ｎｏ）、所定時間経過した後に、ステップＳ３１の処理を繰り返す。これに対して、機器制御部２１０は、運転開始要求が入力されたと判別すると（ステップＳ３１；Ｙｅｓ）、図９に示すような予定情報テーブルに保存された予定情報の参照を開始する（ステップＳ３２）。
【００６８】
次に、情報表示部２５０は、空調機器の試運転を中止させる場合には、所定の中止操作を行うように促すメッセージを表示する。ユーザによって中止操作が操作部２００ｉに行われた場合には、操作部２００ｉで実現される情報入力部２６０は、空調機器の運転を終了するように求めるリクエスト（以下、運転終了要求という）を機器制御部２１０へ入力する。
【００６９】
その後、機器制御部２１０は、運転終了要求が、情報入力部２６０から入力されたか否かを判別する（ステップＳ３３）。このとき、機器制御部２１０は、運転終了要求が入力されなかったと判別すると（ステップＳ３３；Ｎｏ）、例えば、ＯＳ（Operating System）が管理するシステム日時（つまり、現在日時）を取得し、取得された現在日時と、図９の予定情報テーブルに保存された情報で表される開始予定日時のいずれかと、が一致するか否かを判別する（ステップＳ３５）。
【００７０】
このとき、機器制御部２１０は、現在日時と開始予定日時のいずれかとが一致したと判別すると（ステップＳ３５；Ｙｅｓ）、図９に示した予定情報テーブルから、一致したと判別された開始予定日時を表す開始予定日時情報と対応付けられた試運転予定ＩＤと試運転モード情報と試運転機器アドレス情報とを検索する。次に、機器制御部２１０は、試運転予定ＩＤから物件ＩＤを抽出する。その後、図４に示した情報通信部２４０は、検索された情報で表される試運転モードへ運転モードを変更するように指示する運転モード変更指令と運転を開始するように指示する運転指示とを表す制御信号を、抽出された物件ＩＤで識別されるビルへ伸びる専用線を用いて、検索された情報で表されるアドレスへ送信する。これにより、当該ビルに設置された送信先の空調機器の試運転が開始される（ステップＳ３６）。その後、機器制御部２１０は、ステップＳ３３から上記処理を繰り返す。
【００７１】
ステップＳ３５において、機器制御部２１０は、現在日時と開始予定日時のいずれもが一致しないと判別すると（ステップＳ３５；Ｎｏ）、図９に示すような予定情報テーブルに保存された情報で表される終了予定日時のいずれかと現在日時とが一致するか否かを判別する（ステップＳ３７）。
【００７２】
このとき、機器制御部２１０は、現在日時と終了予定日時のいずれかとが一致したと判別すると（ステップＳ３７；Ｙｅｓ）、図９に示した予定情報テーブルから、一致したと判別された終了予定日時を表す終了予定日時情報と対応付けられた試運転予定ＩＤと試運転機器アドレス情報とを検索する。次に、情報通信部２４０は、試運転予定ＩＤから物件ＩＤを抽出し、抽出された物件ＩＤで識別されるビルへ伸びる専用線を用いて、検索された情報で表されるアドレスへ運転を停止するように指示する停止指示を表す制御信号を送信する。これにより、送信先の空調機器の試運転が終了される（ステップＳ３８）。その後、機器制御部２１０は、ステップＳ３３から上記処理を繰り返す。
【００７３】
ステップＳ３７において、機器制御部２１０は、現在日時と終了予定日時のいずれもが一致しないと判別すると（ステップＳ３７；Ｎｏ）、現在日時よりも前の日時を表す開始予定日時情報と、現在日時よりも後の日時を表す終了予定日時情報とに対応付けられた物件ＩＤと、試運転機器アドレス情報とを検索する。
【００７４】
具体例として、試運転機器アドレス情報「320a」が検索された場合を例に挙げて説明する。機器制御部２１０は、図７（ｂ）の接続情報テーブルから、検索された試運転機器アドレス情報「320a」と同じアドレス情報に対応付けられた冷却系統ＩＤ（つまり、試運転中の空調機器の冷却系統ＩＤ）「C001」を検索する。その後、機器制御部２１０は、図７（ｂ）の接続情報テーブルから、検索された冷却系統ＩＤ「C001」に対応付けられたアドレス情報（つまり、試運転中の空調機器と同じ冷却系統を構成する他の空調機器のアドレス情報）「310」及び「320b」を検索する。
【００７５】
次に、情報通信部２４０は、検索された試運転中の空調機器３２０ａのアドレス情報及び当該空調機器３２０ａの冷却系統Ｃ００１を構成する他の空調機器３１０及び空調機器３２０ａのアドレス情報とでそれぞれ表されるアドレスに対して、検出値情報といった動作状況情報を送信させる制御信号を、例えば、１分の所定の周期で送信する送信制御を行う（ステップＳ３９）。
【００７６】
図１０に示すステップＳ３９の後に、図４に示した情報通信部２４０は、制御信号が送信された空調機器３１０、３２０ａ、及び３２０ｂから、検出値情報といった動作状況情報と当該検出値情報で表される検出値を検出したセンサのセンサＩＤとを受信する（ステップＳ４０）。その後、機器制御部２１０は、ＯＳから現在日時を取得し、取得した日時を当該検出値が検出された検出日時とする。次に、機器制御部２１０は、図１２に示した検出内容情報テーブルから、受信されたセンサＩＤに対応付けられた検出内容情報を検索する。
【００７７】
その後、機器制御部２１０は、図１１に示した動作状況テーブルに対して、ステップＳ３８で検索された物件ＩＤ「A」と、検索された冷却系統ＩＤと、アドレス情報と、取得された検出日時を表す検出日時情報と、検索された検索内容情報と、受信された検出値情報とを対応付けて情報記憶部２２０へ保存（つまり、動作状況情報を保存）した後に（ステップＳ４１）、ステップＳ３３から上記処理を繰り返す。
【００７８】
ステップＳ３３において、機器制御部２１０は、運転終了要求が入力されたと判別すると（ステップＳ３３；Ｙｅｓ）、予定情報の参照を終了してから（ステップＳ３４）、予定実行処理の実行を終了する。
【００７９】
空調管理システム１のユーザは、空調管理システム１が収集した動作状況情報を確認するために、空調管理装置２００が収集した動作状況情報を出力する情報出力処理の実行を開始させる所定の操作を操作部２００ｉに行う。操作部２００ｉは、当該所定の操作が行われると、当該操作に応じた所定の信号をＣＰＵ２００ａへ入力する。ＣＰＵ２００ａは、当該所定の信号を入力されると、図１３に示すような情報出力処理の実行を開始する。ＣＰＵ２００ａが、情報出力処理の実行を開始すると、図４に示した情報表示部２５０は、動作状況情報を確認する空調機器を識別するアドレス情報と、当該空調機器が設置されたビルの物件ＩＤと、の入力を促すメッセージを表示する。
【００８０】
次に、当該メッセージを視認したユーザは、ビルＡに設置されており、試運転された空調機器３２０ａの動作状況情報を確認することを決定する。次に、当該ユーザが操作部２００ｉを操作すると、操作部２００ｉで実現される情報入力部２６０は、ユーザの操作に応じた物件ＩＤ「A」とアドレス情報「320a」とを含み、当該アドレス情報「320a」で識別される空調機器３２０ａの動作状況情報の表示を求めるリクエスト（以下、動作状況情報表示要求という）を入力する。
【００８１】
次に、機器制御部２１０は、動作状況情報表示要求が、情報入力部２６０によって入力されたか否かを判別する（ステップＳ５１）。このとき、機器制御部２１０は、情報入力部２６０によって動作状況情報表示要求が入力されたと判別し（ステップＳ５１；Ｙｅｓ）、動作状況情報表示要求からアドレス情報「320a」と物件ＩＤ「A」とを抽出する（ステップＳ５２）。尚、ステップＳ５１において、機器制御部２１０は、情報入力部２６０によって動作状況情報表示要求が入力されなかったと判別すると（ステップＳ５１；Ｎｏ）、所定時間経過した後に、ステップＳ５１から上記処理を繰り返す。
【００８２】
ステップＳ５２の後に、機器制御部２１０は、図１１の動作状況情報テーブルにおいて、抽出された物件ＩＤ「A」とアドレス情報「320a」とに対応付けられた冷却系統ＩＤ「C001」を検索する。次に、機器制御部２１０は、検索された冷却系統ＩＤ「C001」に対応付けられた（つまり、試運転した空調機器３２０ａの冷却系統Ｃ００１を構成する空調機器３１０及び空調機器３２０ｂの）アドレス情報、検出日時情報、検出内容情報、及び検出値情報といった動作状況情報を検索する（ステップＳ５３）。
【００８３】
その後、図４に示した情報表示部２５０は、ステップＳ５３で検索された動作状況情報を表示した後に（ステップＳ５４）、情報出力処理の実行を終了する。
【００８４】
これらの構成によれば、空調機器３２０ａを運転させた後に、運転された空調機器３２０ａの動作状況を表す動作状況情報と、空調機器３２０ａに接続された空調機器３１０の動作状況を表す動作状況情報と、空調機器３２０ｂの動作状況を表す動作状況情報と、を表示する。ここで、互いに接続された空調機器の１つ空調機器が故障すると、当該故障した空調機器に接続された他の空調機器にまで当該故障の影響が及ぶことが多い。このため、互いに接続された空調機器毎に動作状況情報を分類して表示するので、ある空調機器の動作により生じる他の空調機器の動作状況の変化を表示できる。
【００８５】
また、これらの構成によれば、予定情報を入力すれば、入力された情報で表される予定に従って空調機器の運転を制御し、制御された空調機器の動作状況情報を取得するので、空調機器の保守を行う保守担当者がそれぞれの空調機器を動作させてから動作状況を確認する場合と比べて、保守担当者の作業負荷を軽減できるだけでなく、空調機器の動作確認抜けを無くすことができるので、空調管理システム１の不具合を未然に防ぐことができる。
【００８６】
さらに、これらの構成によれば、入力された情報で識別されるビルに設置された空調機器の運転を制御するため、ビル毎に空調機器の運転を制御できる。
【００８７】
また、これらの構成によれば、運転制御された空調機器が設置されたビルと、当該空調機器の動作状況と、当該空調機器が設置されたビルと同じビルに設置された空調機器であって、当該運転制御された空調機器に接続された空調機器の動作状況とを表示するので、空調機器３１０等の動作状況を表す情報の管理が容易となる。このため、保守担当の前任者と後任者との間でノウハウの引き継ぎが容易になるので、各物件に特化したレベルでの作業が効率化され易くなる。また、空調機器は、通常、同じビルに対して、例えば、１０年以上の長期に渡って設置される。このため、例えば、当該ビルに設置された空調機器３１０等の保守担当者が変更された場合であっても、空調機器の動作状況を容易に管理できるので、担当者の変更前と同様に動作状況が管理され易くなる。
【００８８】
ここで、互いに冷媒配管で接続された空調機器が故障すると、当該故障した空調機器に冷媒配管で接続された空調機器にまで当該故障の影響が及ぶことが多い。このため、これらの構成によれば、運転制御された空調機器と同じ冷却系統を構成する空調機器の動作状況を表示するので、複数の空調機器の動作状況が正常であるか否かを冷媒配管の接続関係に応じて効率的に確認できる。
【００８９】
空調管理システム１を構成する空調機器の運転状況は、空調機器に接続された冷媒配管を流れる冷媒の温度で表されるとして説明したが、これに限定される訳ではない。例えば、空調管理システム１は、空調機器に接続された冷媒配管を流れる冷媒の温度を検出するセンサの代わりに、若しくは当該センサに加えて、冷媒配管における冷媒の圧力を検出するセンサを備え、空調機器の運転状況は、冷媒の圧力若しくは冷媒の温度と冷媒の圧力との双方で表されるとしても良い。
【００９０】
図９に示した予定情報テーブルには、試運転の予定を表す予定情報が保存されているとして説明したが、これに限定される訳ではなく、通常運転予定を表す予定情報が保存されていても良い。
【００９１】
＜変形例１＞
図４に示した情報入力部２６０が、図５に示したステップＳ１１で接続情報取得要求を入力し、ステップＳ１４で空調機器のアドレス情報を入力し、図８に示したステップＳ２１で接続表示要求を入力し、ステップＳ２５で開始予定日時情報等を入力し、図１０に示したステップＳ３１で運転開始要求を入力し、ステップＳ３３で運転終了要求を入力し、図１３のステップＳ５１で動作状況情報表示要求を入力すると説明した。しかし、これに限定される訳ではなく、図４に示した外部入力部２６０が、接続情報取得要求を入力し、アドレス情報を入力し、接続表示要求を入力し、開始予定日時情報等を入力し、運転開始要求を入力し、運転終了要求を入力し、動作状況情報表示要求を入力しても良い。
【００９２】
図４に示した情報表示部２５０が、図８に示したステップＳ２４で接続先情報等を表示し、図１３に示したステップＳ５４で動作状況情報を表示するとして説明した。しかし、これに限定される訳ではなく、図４に示した外部出力部が端末装置１０２へ接続先情報等や動作状況情報を出力し、端末装置１０１が接続先情報等や動作状況情報を表示するとしても良い。
【００９３】
これらの構成によれば、空調機器管理装置２００の設置された場所ではなく、端末装置１０１の設置された他の拠点から、空調機器３１０等の動作確認を行うことができる。このため、様々な拠点に居る保守担当者の指示に従って空調機器３１０等を動作させることができるだけでなく、当該空調機器３１０等の動作確認を様々な拠点に居る保守担当者が行えるので、空調機器３１０等に対する保守作業の質が向上する。
【００９４】
＜変形例２＞
図１３のステップＳ５１において、図４の情報入力部２６０が入力する動作状況情報表示要求は、物件ＩＤとアドレス情報とだけでなく、参照開始日時情報と参照終了日時情報とをさらに含んでも良い。また、ステップＳ５２において、機器制御部２１０は、図１１に示した動作状況情報テーブルから、動作状況情報表示要求から抽出された物件ＩＤとアドレス情報とに対応付けられた冷却系統ＩＤを検索する。次に、機器制御部２１０は、検索された冷却系統ＩＤと、参照開始日時情報で表される日時よりも後であり、かつ参照終了日時情報で表される日時よりも前の日時を表す検出日時情報とに対応付けられたアドレス情報、検出日時情報、検出内容情報、及び検出値情報を検索してもよい。
【００９５】
これらの構成によれば、入力された参照開始日時情報で表される日時よりも後であり、かつ入力された参照終了日時情報で表される日時よりも前の日時に検出された動作状況情報を表示するため、所定期間における空調機器３１０等の動作状況を容易に確認できる。
【００９６】
本実施形態及び本実施形態の変形例１及び２は、互いにそれぞれ組み合わせることができる。本実施形態及び本実施形態の変形例１及び２のいずれかに係る機能を実現するための構成を予め備えた空調機器管理装置２００として提供できることはもとより、プログラムの適用により、既存の空調機器管理装置を本実施形態及び本実施形態の変形例１及び２のいずれかに係る空調機器管理装置２００として機能させることもできる。すなわち、上記本実施形態及び本実施形態の変形例１及び２のいずれかで例示した空調機器管理装置２００による各機能構成を実現させるための制御プログラムを、既存の空調機器管理装置を制御するコンピューター（ＣＰＵなど）が実行できるように適用することで、本実施形態に係る空調機器管理装置２００として機能させることができる。
【００９７】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。尚、本発明の空調機器管理方法は、端末装置３００を用いて実施できる。
【００９８】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等しても良い。
【００９９】
また、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、請求の範囲内及びそれと同等の発明の意義の範囲内で施される様々な変形が、本発明の範囲内とみなされる。
【産業上の利用可能性】
【０１００】
本発明は、室内の空気を調和させる空調機器を管理する空調機器管理装置に適する。
【符号の説明】
【０１０１】
１          空調管理システム
１００      端末装置
２００      空調機器管理装置
３００      室外機
２００ａ    ＣＰＵ
２００ｂ    ＲＯＭ
２００ｃ    ＲＡＭ
２００ｄ    ハードディスク
２００ｆ    第１通信回路
２００ｇ    第２通信回路
２００ｈ    ７ＳＥＧ表示部品
２００ｉ    操作部
２１０      機器制御部
２２０      情報記憶部
２３１      外部入力部
２３２      外部出力部
２４０      情報通信部
２５０      情報表示部
２６０      情報入力部
３１０、３２０ａ、３２０ｂ、３３０、３４０    空調機器
３２９ａ、３２９ｂ、３５９    リモコン
３１１ａ、３１１ｂ、３２１ａ、３２１ｂ、３２２ａ、３２２ｂ  温度センサ
【図１】
2013014774.tif 000003
【図２】
2013014774.tif 000004
【図３】
2013014774.tif 000005
【図４】
2013014774.tif 000006
【図５】
2013014774.tif 000007
【図６】
2013014774.tif 000008
【図７】
2013014774.tif 000009
【図８】
2013014774.tif 000010
【図９】
2013014774.tif 000011
【図１０】
2013014774.tif 000012
【図１１】
2013014774.tif 000013
【図１２】
2013014774.tif 000014
【図１３】
2013014774.tif 000015
【手続補正書】
【提出日】平成25年12月9日(2013.12.9)
【手続補正１】
【補正対象書類名】明細書
【補正対象項目名】０００７
【補正方法】変更
【補正の内容】
【０００７】
上記目的を達成するため、本発明の空調機器管理装置は、
互いに配管で接続された空調機器をそれぞれ識別する複数の情報を対応付けて記憶する情報記憶部と、
第１の空調機器を運転させる予定を表す予定情報を入力する情報入力部と、
前記情報入力部で入力された予定情報に基づいて前記第１の空調機器の動作を制御する機器制御部と、
前記機器制御部で制御された第１の空調機器と、前記第１の空調機器を識別する情報に対応付けられた情報で識別される第２の空調機器と、に対して、それぞれの動作状況を表す動作状況情報を送信させる制御信号を送信した後に、前記第１の空調機器の動作状況情報と、前記第２の空調機器の動作状況情報と、を受信する情報通信部と、
前記情報通信部で受信された前記第１の空調機器の動作状況情報と、前記第２の空調機器の動作状況情報と、を対応付けて表示する情報表示部と、を備える。
【手続補正２】
【補正対象書類名】特許請求の範囲
【補正対象項目名】全文
【補正方法】変更
【補正の内容】
【特許請求の範囲】
【請求項１】
互いに配管で接続された空調機器をそれぞれ識別する複数の情報を対応付けて記憶する情報記憶部と、
第１の空調機器を運転させる予定を表す予定情報を入力する情報入力部と、
前記情報入力部で入力された予定情報に基づいて前記第１の空調機器の動作を制御する機器制御部と、
前記機器制御部で制御された第１の空調機器と、前記第１の空調機器を識別する情報に対応付けられた情報で識別される第２の空調機器と、に対して、それぞれの動作状況を表す動作状況情報を送信させる制御信号を送信した後に、前記第１の空調機器の動作状況情報と、前記第２の空調機器の動作状況情報と、を受信する情報通信部と、
前記情報通信部で受信された前記第１の空調機器の動作状況情報と、前記第２の空調機器の動作状況情報と、を対応付けて表示する情報表示部と、を備える、
空調機器管理装置。
【請求項２】
前記情報記憶部は、前記第１の空調機器を識別する情報と、前記第２の空調機器を識別する情報と、に、前記第１の空調機器及び前記第２の空調機器が設置された物件を識別する情報をさらに対応付けて記憶し、
前記情報入力部は、動作を制御させる空調機器が設置された物件を識別する情報をさらに入力し、
前記情報表示部は、前記情報入力部で入力された物件を識別する情報と対応付けて前記情報記憶部に記憶された空調機器を識別する情報を表示し、
前記情報入力部は、前記情報表示部で表示された情報で識別される空調機器を運転させる予定を表す予定情報を入力し、
前記機器制御部は、前記情報入力部で入力された予定情報に基づいて前記表示された情報で識別される空調機器の動作を制御する、
請求項１に記載の空調機器管理装置。
【請求項３】
前記機器制御部は、前記取得された動作状況情報と、当該動作状況にある空調機器を識別する情報と、当該空調機器が設置された物件を識別する情報と、を対応付けて前記情報記憶部に保存し、
前記情報表示部は、前記機器制御部で動作を制御された空調機器が設置された物件を識別する情報と、前記動作を制御された空調機器の動作状況情報と、当該動作を制御された空調機器を識別する情報及び当該物件を識別する情報に対応付けて前記情報記憶部が記憶する空調機器を識別する情報と、当該空調機器の動作状況情報と、を表示する、
請求項２に記載の空調機器管理装置。
【請求項４】
前記配管は、内部を冷媒が通過する冷媒配管であり、
前記情報記憶部は、前記冷媒配管によって冷媒を循環させる循環システムを識別する情報と、前記循環システムによって冷媒が供給される第１の空調機器を識別する情報、前記第２の空調機器を識別する情報、及び前記第１の空調機器若しくは前記第２の空調機器と配管で接続された第３の空調機器を識別する情報と、を対応付けて記憶し、
前記情報表示部は、前記機器制御部で動作を制御された前記第１の空調機器を識別する情報に対応付けて前記情報記憶部に記憶された循環システムを識別する情報と、当該循環システムを識別する情報に対応付けて前記情報記憶部に記憶された情報で識別される前記第１の空調機器の動作状況情報、前記第２の空調機器の動作状況情報、及び前記第３の空調機器の動作状況情報と、を表示する、
請求項１から３のいずれか一項に記載の空調機器管理装置。
【請求項５】
互いに配管で接続された複数の空調機器と、前記複数の空調機器を管理する空調機器管理装置と、を備える空調管理システムであって、
前記空調機器管理装置は、
前記複数の空調機器をそれぞれ識別する複数の情報を対応付けて記憶する情報記憶部と、
第１の空調機器を運転させる予定を表す予定情報を入力する情報入力部と、
前記情報入力部で入力された予定情報に基づいて前記第１の空調機器の動作を制御する機器制御部と、
前記機器制御部で制御された第１の空調機器と、前記第１の空調機器を識別する情報に対応付けられた情報で識別される第２の空調機器と、に対して、それぞれの動作状況を表す動作状況情報を送信させる制御信号を送信した後に、前記第１の空調機器の動作状況情報と、前記第２の空調機器の動作状況情報と、を受信する情報通信部と、
前記情報通信部で受信された前記第１の空調機器の動作状況情報と、前記第２の空調機器の動作状況情報と、を対応付けて表示する情報表示部と、を有する、
空調機器管理システム。
【請求項６】
コンピュータを、
互いに配管で接続された空調機器をそれぞれ識別する複数の情報を対応付けて記憶する情報記憶部、
第１の空調機器を運転させる予定を表す予定情報を入力する情報入力部、
前記情報入力部で入力された予定情報に基づいて前記第１の空調機器の動作を制御する機器制御部、
前記機器制御部で制御された第１の空調機器と、前記第１の空調機器を識別する情報に対応付けられた情報で識別される第２の空調機器と、に対して、それぞれの動作状況を表す動作状況情報を送信させる制御信号を送信した後に、前記第１の空調機器の動作状況情報と、前記第２の空調機器の動作状況情報と、を受信する情報通信部、
前記情報通信部で受信された前記第１の空調機器の動作状況情報と、前記第２の空調機器の動作状況情報と、を対応付けて表示する情報表示部、として機能させる、
空調機器管理プログラム。
【請求項７】
第１の空調機器を運転させる予定を表す予定情報を入力する情報入力ステップと、
前記情報入力ステップで入力された予定情報に基づいて前記第１の空調機器の動作を制御する機器制御ステップと、
互いに配管で接続された複数の空調機器をそれぞれ識別する複数の情報を対応付けて記憶する情報記憶部において、前記機器制御ステップで制御された第１の空調機器を識別する情報に対応付けられた情報で識別される第２の空調機器と、前記第１の空調機器と、に対して、それぞれの動作状況を表す動作状況情報を送信させる制御信号を送信する送信ステップと、
前記第１の空調機器の動作状況情報と、前記第２の空調機器の動作状況情報と、を受信する受信ステップと、
前記受信ステップで受信された前記第１の空調機器の動作状況情報と、前記第２の空調機器の動作状況情報と、を対応付けて表示する情報表示ステップと、を有する、
空調機器管理方法。
【国際調査報告】
2013014774.tif 000016
2013014774.tif 000017
2013014774.tif 000018
2013014774.tif 000019